(57)【要約】【課題】庇となる屋根の軒の出を大きくして、快適な軒下コーナー空間を形成することが可能なユニット式建物を提供することを目的とする。【解決手段】軒下コーナー空間４の上方に、複数の屋根束３１〜３４のうち当該軒下コーナー空間４の直近であって、かつ勾配屋根３の隅棟３ａの直下に位置する第一屋根束３１を垂直辺として含んで構成される直角三角形状の第一から第三のトラス構造部Ｔ１，Ｔ２，Ｔ３が設けられており、第一屋根束３１と、平面視において第二トラス構造部Ｔ２の延長線上に配置される第二屋根束３２との間に補強材３７が架設され、第一屋根束３１と、平面視において第三トラス構造部Ｔ３の延長線上に配置される第三屋根束３３との間に補強材３８が架設されている。【選択図】図２
2015155596.tif 000002
【特許請求の範囲】
【請求項１】
略直方体状の建物ユニットを複数組み合わせてなる建物本体と、
隅棟を介して隣り合う二つの傾斜する屋根面を有する勾配屋根と、
前記建物本体のコーナー部であって、かつ前記勾配屋根の隅棟の下方に位置する軒下コーナー空間と、を備えるユニット式建物において、
前記建物本体の上部には、前記勾配屋根を支持する複数の屋根束が立設されており、
前記軒下コーナー空間の上方には、前記複数の屋根束のうち当該軒下コーナー空間の直近であって、かつ前記隅棟の直下に位置する第一屋根束を垂直辺として含んで構成される直角三角形状の第一から第三のトラス構造部が設けられており、
前記第一トラス構造部は、平面視において前記隅棟に沿って配置され、
前記第二トラス構造部は、平面視において前記隣り合う二つの屋根面のうち一方の屋根面の流れ方向に沿って配置され、
前記第三トラス構造部は、平面視において前記隣り合う二つの屋根面のうち他方の屋根面の流れ方向に沿って配置されており、
前記第一屋根束と、前記複数の屋根束のうち前記第一屋根束と隣り合うとともに平面視において前記第二トラス構造部の延長線上に配置される第二屋根束との間には補強材が架設され、
前記第一屋根束と、前記複数の屋根束のうち前記第一屋根束と隣り合うとともに平面視において前記第三トラス構造部の延長線上に配置される第三屋根束との間には補強材が架設されていることを特徴とするユニット式建物。
【請求項２】
請求項１に記載のユニット式建物において、
前記軒下コーナー空間の上方には、妻方向および桁方向に水平に配置される複数本の梁と、平面視において前記隅棟に沿って且つ水平に配置される斜材と、を有する枠状の張出小屋パネルが、前記建物本体から前記軒下コーナー空間の上方に張り出すようにして設けられており、
前記第一トラス構造部の下辺は前記斜材によって構成され、
前記第二トラス構造部および前記第三トラス構造部の下辺は前記梁によって構成されていることを特徴とするユニット式建物。
【請求項３】
請求項１または２に記載のユニット式建物において、
前記軒下コーナー空間はバルコニーであることを特徴とするユニット式建物。
【請求項４】
請求項３に記載のユニット式建物において、
前記バルコニーは、当該バルコニーが隣接する前記建物ユニットの平面積と略等しい床面積に設定されたキャンチ式のバルコニーとされており、
前記バルコニーの上方には、前記張出小屋パネルが、前記建物本体から前記バルコニーの上方に張り出すようにして設けられており、
前記バルコニーの床の出隅角部と前記張出小屋パネルの出隅角部とが吊柱によって連結されていることを特徴とするユニット式建物。
【請求項５】
請求項２〜４のいずれか一項に記載のユニット式建物において、
前記建物本体の最上階を構成する前記複数の建物ユニットの上面のそれぞれに、複数本の梁によって矩形枠状に形成された小屋パネルが設置され、
前記複数の屋根束は、当該小屋パネルの上面に設置されており、
前記張出小屋パネルを構成する前記複数本の梁のうち前記建物本体側に配置される梁と、前記建物本体側の前記小屋パネルとが剛接合されていることを特徴とするユニット式建物。
【請求項６】
請求項１〜５のいずれか一項に記載のユニット式建物において、
前記勾配屋根は、軸組材を枠状に組んだフレームに屋根面材が張り付けられた屋根パネルを複数並べて形成されており、
前記第一から第三のトラス構造部のそれぞれの斜辺は、前記複数の屋根パネルのうち前記隅棟に沿って配置される屋根パネルの前記軸組材によって構成されていることを特徴とするユニット式建物。
【請求項７】
請求項６に記載のユニット式建物において、
前記隅棟に沿って配置される前記屋根パネルは、前記隅棟を介して隣接する二つの屋根パネルとからなり、
前記第一屋根束の上端部には、前記二つの屋根パネルのそれぞれの前記軸組材を受ける二つのブラケットが設けられていることを特徴とするユニット式建物。
【発明の詳細な説明】
【技術分野】
【０００１】
本発明は、ユニット式建物に関する。
【背景技術】
【０００２】
従来、予め工場等で製造された建物ユニットを建築現場で組み合わせてなるユニット式建物が知られている（例えば、特許文献１，２参照）。
特許文献１に記載のユニット式建物において、複数の建物ユニットによって構成される建物本体の上部には、複数の屋根パネルによって構成される屋根が設けられている。当該屋根が傾斜面を有する勾配屋根である場合は、建物本体に対し、最上階を構成する建物ユニットの上面に設置された小屋パネルと、当該小屋パネルの上面に設置された複数の屋根束とを介して設けられている。
また、特許文献２に記載のユニット式建物のコーナー部には、バルコニーが設けられている。そして、当該ユニット式建物の上部には勾配屋根が設けられている。そのため、勾配屋根の軒先をバルコニーの庇として利用することができる。
【先行技術文献】
【特許文献】
【０００３】
【特許文献１】特開２００１−０９８６９０号公報
【特許文献２】特開２０１０−１５９５８１号公報
【発明の概要】
【発明が解決しようとする課題】
【０００４】
近年、バルコニーやテラスを始めとする、建物のコーナー部であって且つ屋根の軒先下方に位置する空間（以下、軒下コーナー空間）を半屋外的な生活空間として利用したいという要望が多くあり、快適な軒下コーナー空間の形成が望まれていた。
快適な軒下コーナー空間を形成するために、例えば、庇となる屋根の軒の出を大きくして雨天時にもバルコニー等の軒下コーナー空間を使えるようにする技術が試みられている。ところが、庇となる屋根の軒の出を大きくすると当該屋根の荷重を支える必要があるため、軒下コーナー空間に屋根を支える支柱を設置しなければならず、この支柱が、軒下コーナー空間において開放感や景観性を阻害する場合がある。
すなわち、快適な軒下コーナー空間を形成するために、以上のような問題を解決することが強く望まれていた。
【０００５】
本発明の課題は、庇となる屋根の軒の出を大きくして、快適な軒下コーナー空間を形成することが可能なユニット式建物を提供することを目的とする。
【課題を解決するための手段】
【０００６】
請求項１に記載の発明は、例えば図１〜図７に示すように、略直方体状の建物ユニット１０を複数組み合わせてなる建物本体２と、
隅棟３ａを介して隣り合う二つの傾斜する屋根面３ｂ，３ｃを有する勾配屋根３と、
前記建物本体２のコーナー部Ｃであって、かつ前記勾配屋根３の隅棟３ａの下方に位置する軒下コーナー空間４（例えば、バルコニー４）と、を備えるユニット式建物１において、
前記建物本体２の上部には、前記勾配屋根３を支持する複数の屋根束３１〜３４が立設されており、
前記軒下コーナー空間４の上方には、前記複数の屋根束３１〜３４のうち当該軒下コーナー空間４の直近であって、かつ前記隅棟３ａの直下に位置する第一屋根束３１を垂直辺として含んで構成される直角三角形状の第一から第三のトラス構造部Ｔ１，Ｔ２，Ｔ３が設けられており、
前記第一トラス構造部Ｔ１は、平面視において前記隅棟３ａに沿って配置され、
前記第二トラス構造部Ｔ２は、平面視において前記隣り合う二つの屋根面３ｂ，３ｃのうち一方の屋根面３ｂの流れ方向に沿って配置され、
前記第三トラス構造部Ｔ３は、平面視において前記隣り合う二つの屋根面３ｂ，３ｃのうち他方の屋根面３ｃの流れ方向に沿って配置されており、
前記第一屋根束３１と、前記複数の屋根束３２〜３４のうち前記第一屋根束３１と隣り合うとともに平面視において前記第二トラス構造部Ｔ２の延長線上に配置される第二屋根束３２との間には補強材３７が架設され、
前記第一屋根束３１と、前記複数の屋根束３２〜３４のうち前記第一屋根束３１と隣り合うとともに平面視において前記第三トラス構造部Ｔ３の延長線上に配置される第三屋根束３３との間には補強材３８が架設されていることを特徴とする。
【０００７】
請求項１に記載の発明によれば、軒下コーナー空間４の上方に、第一屋根束３１を垂直辺として含んで構成される直角三角形状の第一から第三のトラス構造部Ｔ１，Ｔ２，Ｔ３が設けられているので、軒下コーナー空間４上方において庇となる勾配屋根３の部位を補強することができる。さらに、第一屋根束３１と第二屋根束３２との間に補強材３７が架設され、第一屋根束３１と第三屋根束３３との間にも補強材３８が架設されているので、第一屋根束３１と第二屋根束３２同士、および、第一屋根束３１と第三屋根束３３同士のそれぞれを補強材３７，３８によって繋げて補強でき、第一屋根束３１を含む第一から第三のトラス構造部Ｔ１，Ｔ２，Ｔ３が軒下コーナー空間４側に倒れ込むことを防ぐことができる。
これによって、軒下コーナー空間４の庇となる勾配屋根３の部位の荷重を十分に支えることができるので、軒下コーナー空間４の庇となる勾配屋根３の軒の出を大きくして雨天時にも軒下コーナー空間４を使うことができる。そして、このように軒下コーナー空間４の庇となる勾配屋根３の部位の荷重を十分に支えて保持できれば、従来のように支柱を設置せずに済むので、軒下コーナー空間４の下方空間において開放感や景観性が阻害されなくなる。したがって、快適な軒下コーナー空間４を形成することが可能となる。
【０００８】
請求項２に記載の発明は、図１〜図７に示すように、請求項１に記載のユニット式建物１において、
前記軒下コーナー空間４の上方には、妻方向および桁方向に水平に配置される複数本の梁２１ａ，２１ｂ，２２ａ，２２ｂ，２３と、平面視において前記隅棟３ａに沿って且つ水平に配置される斜材２４と、を有する枠状の張出小屋パネル２０が、前記建物本体２から前記軒下コーナー空間４の上方に張り出すようにして設けられており、
前記第一トラス構造部Ｔ１の下辺は前記斜材２４によって構成され、
前記第二トラス構造部Ｔ２および前記第三トラス構造部Ｔ３の下辺は前記梁２３，２１ｂによって構成されていることを特徴とする。
【０００９】
請求項２に記載の発明によれば、第一トラス構造部Ｔ１の下辺は斜材２４によって構成され、第二トラス構造部Ｔ２および第三トラス構造部Ｔ３の下辺は梁２３，２１ｂによって構成されているので、軒下コーナー空間４の施工にあたって張出小屋パネル２０の施工を行うことで同時に第一から第三のトラス構造部Ｔ１，Ｔ２，Ｔ３の下辺を形成できることになり、施工性を向上させることができる。
【００１０】
請求項３に記載の発明は、図１〜図７に示すように、請求項１または２に記載のユニット式建物１において、
前記軒下コーナー空間４はバルコニーであることを特徴とする。
【００１１】
請求項２に記載の発明によれば、軒下コーナー空間４がバルコニーであるため、当該バルコニー４は、当該バルコニー４の庇となる勾配屋根３の軒の出を大きくして雨天時にも使うことが可能となり、快適なバルコニー空間を形成することができる。
なお、バルコニー４がキャンチ式ではなく、下屋バルコニー等である場合には、軒の出の大きな勾配屋根３による庇の下方に、張り出し寸法を大きくして、広々とした床面積のバルコニー空間を形成できる。
また、例えば、勾配屋根３におけるバルコニー４の庇となる部位と、バルコニー４の床４０とを吊柱４５等によって連結した場合には、たとえバルコニー４が下屋バルコニーではなく、床面積が広く設定されたキャンチ式のものであっても、当該バルコニー４の床４０を十分に支えて保持することができる。これによって、バルコニー４の建物本体２からの張り出し寸法を大きくして広々とした快適なバルコニー空間を形成することができる。さらに、このようにバルコニー４の床４０を十分に支えて保持できれば、従来のようにバルコニーと地面との間に支柱を設置せずに済むので、バルコニー４の下方空間において開放感や景観性が阻害されなくなる。
【００１２】
請求項４に記載の発明は、例えば図１〜図６に示すように、請求項３に記載のユニット式建物１において、
前記バルコニー４は、当該バルコニー４が隣接する前記建物ユニット１０，１０の平面積と略等しい床面積に設定されたキャンチ式のバルコニーとされており、
前記バルコニー４の上方には、前記張出小屋パネル２０が、前記建物本体２から前記バルコニー４の上方に張り出すようにして設けられており、
前記バルコニー４の床４０の出隅角部と前記張出小屋パネル２０の出隅角部とが吊柱４５によって連結されていることを特徴とする。
【００１３】
請求項４に記載の発明によれば、キャンチ式のバルコニー４の床４０の出隅角部と、第一から第三のトラス構造部Ｔ１，Ｔ２，Ｔ３を構成する梁２１ｂ，２３と斜材２４とを有する張出小屋パネル２０の出隅角部とが吊柱４５によって連結されているので、隣接する建物ユニット１０，１０の平面積と略等しい床面積に設定された広いバルコニー４の床４０であっても、バルコニー４上方の第一から第三のトラス構造部Ｔ１，Ｔ２，Ｔ３および補強材３７，３８によって、バルコニー４の床４０を吊った状態で支えて十分に保持することができる。これによって、バルコニー４の建物本体２からの張り出し寸法を大きくすることができるので、広々とした快適なバルコニー空間を形成することができる。
さらに、バルコニー４の床４０を、バルコニー４上方の第一から第三のトラス構造部Ｔ１，Ｔ２，Ｔ３および補強材３７，３８によって吊った状態で支えて十分に保持できるので、従来のようにバルコニーと地面との間に支柱を設置せずに済み、バルコニー４の下方空間において開放感や景観性が阻害されなくなる。
【００１４】
請求項５に記載の発明は、例えば図１〜図６に示すように、請求項２〜４のいずれか一項に記載のユニット式建物１において、
前記建物本体２の最上階を構成する前記複数の建物ユニット１０の上面のそれぞれに、複数本の梁２６ａ，２６ｂ，２７ａ，２７ｂ，２８によって矩形枠状に形成された小屋パネル２５が設置され、
前記複数の屋根束３１〜３４は、当該小屋パネル２５の上面に設置されており、
前記張出小屋パネル２０を構成する前記複数本の梁２１ａ，２１ｂ，２２ａ，２２ｂ，２３のうち前記建物本体２側に配置される梁２１ｂ，２２ａと、前記建物本体２側の前記小屋パネル２５とが剛接合されていることを特徴とする。
【００１５】
請求項５に記載の発明によれば、複数の屋根束３１〜３４は小屋パネル２５の上面に設置されているので、当該小屋パネル２５によって勾配屋根３を確実に支持することができる。そして、張出小屋パネル２０を構成する複数本の梁２１ａ，２１ｂ，２２ａ，２２ｂ，２３のうち建物本体２側に配置される梁２１ｂ，２２ａと、建物本体２側において屋根を支持する小屋パネル２５とが剛接合されているので、勾配屋根３のうちの、バルコニー４の上方に位置する部位と、それ以外の部位との一体性を高めることができる。
【００１６】
請求項６に記載の発明は、例えば図１〜図３に示すように、請求項１〜５のいずれか一項に記載のユニット式建物１において、
前記勾配屋根３は、軸組材１６を枠状に組んだフレームに屋根面材１７が張り付けられた屋根パネル１５（１５Ａ，１５Ｂ）を複数並べて形成されており、
前記第一から第三のトラス構造部Ｔ１，Ｔ２，Ｔ３のそれぞれの斜辺は、前記複数の屋根パネル１５（１５Ａ，１５ｂ）のうち前記隅棟３ａに沿って配置される屋根パネル１５（１５Ａ，１５Ｂ）の前記軸組材１６によって構成されていることを特徴とする。
【００１７】
請求項６に記載の発明によれば、第一から第三のトラス構造部Ｔ１，Ｔ２，Ｔ３のそれぞれの斜辺は、複数の屋根パネル１５（１５Ａ，１５Ｂ）のうち隅棟３ａに沿って配置される屋根パネル１５（１５Ａ，１５Ｂ）の軸組材１６によって構成されているので、勾配屋根３の施工を行うことで同時に第一から第三のトラス構造部Ｔ１，Ｔ２，Ｔ３を形成できることになり、施工性を向上させることができる。
【００１８】
請求項７に記載の発明は、例えば図１〜図３，図７に示すように、請求項６に記載のユニット式建物１において、
前記隅棟３ａに沿って配置される前記屋根パネル１５Ａ，１５Ｂは、前記隅棟３ａを介して隣接する二つの屋根パネル１５Ａ，１５Ｂとからなり、
前記第一屋根束３１の上端部には、前記二つの屋根パネル１５Ａ，１５Ｂのそれぞれの前記軸組材１６，１６を受ける二つのブラケット３１ａ，３１ｂが設けられていることを特徴とする。
【００１９】
請求項７に記載の発明によれば、第一屋根束３１の上端部には、二つの屋根パネル１５Ａ，１５Ｂのそれぞれの軸組材１６，１６を受ける二つのブラケット３１ａ，３１ｂが設けられているので、一つの第一屋根束３１によって二つの屋根パネル１５Ａ，１５Ｂの軸組材１６，１６を受けることができる。これによって、第一から第三のトラス構造部Ｔ１，Ｔ２，Ｔ３は、第一屋根束３１を垂直辺として含んだ形で構成されることになるので、屋根パネル１５Ａ，１５Ｂが複数であっても、当該第一から第三のトラス構造部Ｔ１，Ｔ２，Ｔ３同士の一体性を高めることができる。また、第一屋根束３１を複数用いる必要がないので、第一から第三のトラス構造部Ｔ１，Ｔ２，Ｔ３を形成する際の施工手間を省略できる。
【発明の効果】
【００２０】
本発明によれば、庇となる屋根の軒の出を大きくして、快適な軒下コーナー空間を形成することができる。
【図面の簡単な説明】
【００２１】
【図１】ユニット式建物の平面図である。
【図２】第一から第三のトラス構造部の周囲の構造を示す斜視図である。
【図３】ユニット式建物を模式的に表した側断面図である。
【図４】建物本体と張出小屋パネルとの接合箇所、建物本体とバルコニー床との接合箇所を説明するための斜視図である。
【図５】建物本体と張出小屋パネルとの接合態様を示す平面図である。
【図６】張出小屋パネル付近を示す平面図である。
【図７】第一屋根束を示す斜視図である。
【発明を実施するための形態】
【００２２】
以下、図面を参照して本発明の実施の形態について説明する。
図１等において符号１はユニット式建物を示す。このユニット式建物１は、例えば図４に示すように二階建ての住宅であり、建物本体２と、当該建物本体２の上部に設けられる勾配屋根３と、当該建物本体２に設けられるバルコニー４と、を備える。
そして、バルコニー４の上方には、図２に示すように、バルコニー４上方において庇となる勾配屋根３の部位を補強するための直角三角形状の第一から第三のトラス構造部Ｔ１，Ｔ２，Ｔ３が設けられている。
【００２３】
建物本体２は、図１〜図４に示すように、複数の建物ユニット１０を上下・左右・前後に組み合わせて形成されるものである。
また、本実施の形態の建物本体２は、平面視において略Ｌ字状に形成されており、バルコニー４が設けられる入隅コーナー部Ｃを有する。当該入隅コーナー部Ｃは建物本体２の上下方向に亘って形成されている。
【００２４】
建物ユニット１０は金属製の略直方体の骨組みを有するものである。すなわち、当該骨組みは、図３等に示すように、複数の柱１１と、柱梁接合部材１２を介して複数の柱１１の上端間を連結する短辺および長辺の天井梁１３と、柱梁接合部材１２を介して複数の柱１１の下端間を連結する短辺および長辺の床梁１４とを備える。
また、当該骨組みには、図示はしないが、天井材、床材、外壁材、内壁材（間仕切壁）、配線等の各種部品が予め工場等で組み付けられ、その状態で現場に輸送される。
【００２５】
勾配屋根３は、隅棟３ａを介して隣り合う二つの傾斜する屋根面３ｂ，３ｃを有しており、本実施の形態では寄棟屋根が採用されている。すなわち、本実施の形態の勾配屋根３においては、合計四面の屋根面３ｂ，３ｃが形成されている。なお、屋根面３ｂが桁側に配置され、屋根面３ｃが妻側に配置されている。
また、当該勾配屋根３の屋根面３ｂ，３ｃは、屋根パネル１５を複数並べて形成されている。屋根パネル１５は、図１〜図３に示すように、軸組材１６を枠状に組んだフレームに屋根面材１７が張り付けられて形成されている。
なお、本実施の形態では、特にバルコニー４の上方において隅棟３ａに沿って配置される屋根パネル１５については、隅棟３ａを介して隣接する二つの三角形状の屋根パネル１５Ａ，１５Ｂからなる。また、屋根パネル１５Ａは、屋根面３ｂの一部を構成し、屋根パネル１５Ｂは、屋根面３ｃを構成している。
ただし、本実施の形態においては隅棟３ａを介して隣接する二つの三角形状の屋根パネル１５Ａ，１５Ｂを用いるものとしたが、当該屋根パネル１５Ａ，１５Ｂを一体化させた形態の一つの屋根パネルユニット（図示せず）を用いてもよいものとする。
【００２６】
建物本体２の二階を構成する複数の建物ユニット１０の上面のそれぞれに、図１〜図４に示すように、複数本の梁２６ａ，２６ｂ，２７ａ，２７ｂ，２８によって矩形枠状に形成された小屋パネル２５が設置されている。当該小屋パネル２５は、その平面積が、自身が設置される建物ユニット１０の平面積と略等しくなるように設定されている。
また、バルコニー４の上方には、妻方向（図１の紙面における上下方向）および桁方向（図１の紙面における左右方向）に水平に配置される複数本の梁２１ａ，２１ｂ，２２ａ，２２ｂ，２３と、平面視において隅棟３ａに沿って且つ水平に配置される斜材２４（斜め梁）と、を有する枠状の張出小屋パネル２０が、建物本体２からバルコニー４の上方に張り出すようにして設けられている。
【００２７】
張出小屋パネル２０についてより詳細に説明すると、当該張出小屋パネル２０は、勾配屋根３の軒先側に位置する長辺梁２１ａと、建物本体２中央側に位置する長辺梁２１ｂと、建物本体２中央側に位置する短辺梁２２ａと、勾配屋根３の軒先側に位置する短辺梁２２ｂとによって外周部分が矩形枠状に形成されている。
また、一対の短辺梁２２ａ，２２ｂと平行し、かつ長辺梁２１ａの中央部分と長辺梁２１ｂの中央部分との間に、中間梁２３が架設されている。
さらに、斜め梁である斜材２４は、長辺梁２１ｂと中間梁２３との交点から、長辺梁２１ａと短辺梁２２ｂとの交点である張出小屋パネル２０の出隅角部にかけて、かつ平面視において隅棟３ａに沿うようにして架設されている。
【００２８】
小屋パネル２５についてより詳細に説明すると、当該小屋パネル２５は、一対の長辺梁２６ａ，２６ｂと、一対の短辺梁２７ａ，２７ｂとによって外周部分が矩形枠状に形成されている。
また、一対の短辺梁２７ａ，２７ｂと平行し、かつ長辺梁２６ａの中央部分と長辺梁２６ｂの中央部分との間に、中間梁２８が架設されている。
さらに、一対の長辺梁２６ａ，２６ｂと、一対の短辺梁２７ａ，２７ｂと、中間梁２８とで形成される二つの枠部（水平構面）のそれぞれには複数のブレース（図示せず）が設けられている。すなわち、複数のブレースは、前記枠部の対角線に沿って交差するようにして配置され、各梁に固定されている。
【００２９】
なお、張出小屋パネル２０は、隣接する小屋パネル２５と略同様の構造に設定され、当該小屋パネル２５を構成する各材料を利用して張出小屋パネル２０を製造することが可能となっている。すなわち、張出小屋パネル２０を構成する長辺梁２１ａ，２１ｂは、小屋パネル２５の長辺梁２６ａ，２６ｂと同材料である。また、張出小屋パネル２０を構成する短辺梁２２ａ，２２ｂは、小屋パネル２５の短辺梁２７ａ，２７ｂと同材料である。また、張出小屋パネル２０を構成する中間梁２３は、小屋パネル２５の中間梁２８と同材料である。
ただし、張出小屋パネル２０を構成する斜め梁である斜材２４は、小屋パネル２５の図示しないブレースとは異なり、各梁２１ａ，２１ｂ，２２ａ，２２ｂ，２３と同様に梁用の鉄鋼材で構成されている。換言すれば、小屋パネル２５において、複数のブレースの代わりに斜め梁である斜材２４を入れれば張出小屋パネル２０を形成することが可能となる。
したがって、張出小屋パネル２０を構成する部材と、小屋パネル２５を構成する部材の共通化を図ることができるので、各小屋パネル２０，２５の生産性を向上や製造コストの低減を図ることができる。
【００３０】
そして、張出小屋パネル２０を構成する複数本の梁２１ａ，２１ｂ，２２ａ，２２ｂ，２３のうち建物本体２側に配置される梁２１ｂ，２２ａと、建物本体２側の小屋パネル２５におけるバルコニー４側の梁２６ａ，２７ｂとが剛接合されている。
張出小屋パネル２０と小屋パネル２５との接合箇所には、接合金物２９が設けられる。当該接合金物２９は、張出小屋パネル２０側に固定されるプレート２９ａと、小屋パネル２５側に固定される金物本体２９ｂと、プレート２９ａと金物本体２９ｂとを接合するボルト２９ｃと、を有する。なお、プレート２９ａおよび金物本体２９ｂにはボルト２９ｃの雄ネジに対応する雌ネジのあるボルト挿入孔（図示せず）が形成されている。
また、接合金物２９が設けられる箇所（図４中の「▼」）は、図４，図５に示すように、張出小屋パネル２０の梁２１ａの位置と、梁２２ａ，２２ｂ，２３の位置とに対応している。
【００３１】
また、建物本体２の上部には、図１，図２，図３，図６，図７に示すように、勾配屋根３を支持する複数の屋根束３１〜３４と、同じく勾配屋根３を支持する複数の受けブラケット３５，３６が立設されている。
より詳細には、複数の屋根束３１〜３４は、隣接する建物ユニット１０，１０の境界部分（すなわち、小屋パネル２５，２５の境界部分）や、隣接する建物ユニット１０（小屋パネル２５）と張出小屋パネル２０との境界部分に立設されており、本実施の形態においては６箇所に配置されるものとする。ただし、屋根束の本数はこれに限られるものではなく、建物１自体の大きさや屋根３の形状、屋根パネル１５の形状等に応じて適宜変更可能である。特に大棟の下方等に屋根束を設けることが好ましい。
また、複数の受けブラケット３５，３６は、平面視Ｌ字状の建物本体２（すなわち、五つの小屋パネル２５）と、建物本体２の入隅コーナー部Ｃに配置された張出小屋パネル２０とからなる建物自体の矩形な外周縁部（図１参照）に沿うようにして、かつ張出小屋パネル２０および小屋パネル２５の上面に設置されている。
【００３２】
第一屋根束３１は、複数の屋根束３１〜３４のうち、バルコニー４の直近であって、かつ隅棟３ａの直下に位置する屋根束を指している。
当該第一屋根束３１は、二つの屋根面３ｂ，３ｃを構成する屋根パネル１５，１５Ａ，１５Ｂを受けるものである。換言すれば、当該第一屋根束３１は、隅棟３ａを介して隣接する屋根パネル１５Ａの軸組材１６と、屋根パネル１５Ｂの軸組材１６と、屋根パネル１５Ａ，１５Ｂのそれぞれに隣接する屋根パネル１５の軸組材１６を受けるものである。したがって、第一屋根束３１の上端部には、図７に示すように、各軸組材１６を受けるための二つのブラケット３１ａ，３１ｂが設けられている。つまり、一つのブラケット３１ａ（３１ｂ）で隣接する屋根パネル１５，１５Ａ（１５，１５Ｂ）の、隣接する軸組材１６，１６を受けることができる。
また、当該第一屋根束３１の上端部および下端部には、図１〜図３に示すように、後述する補強材３７，３８が取り付けられる取付プレート３１ｃ，３１ｄが設けられている。すなわち、第一屋根束３１の上端部および下端部において、取付プレート３１ｃは、第二トラス構造部Ｔ２の平面視における延長線上に配置され、取付プレート３１ｄは、第三トラス構造部Ｔ３の平面視における延長線上に配置されている。
また、第一屋根束３１の下端面にはベースプレート３１ｅが設けられている。当該ベースプレート３１ｅは、隣接する張出小屋パネル２０と小屋パネル２５との境界部分の上面に載置固定される。
【００３３】
第二屋根束３２は、第一屋根束３１に隣り合って、かつ第一屋根束３１上方の隅棟３ａに隣り合う他の隅棟３ａの下方に配置されている。当該第二屋根束３２は隅棟３ａの下方に設けられるものであるため、二つの屋根面３ｂ，３ｃを受ける。
なお、当該第二屋根束３２は、例えば図３，図７に示すように、第一屋根束３１と略同様の構成（対称的な構造）となっており、二つの屋根面３ｂ，３ｃを構成する屋根パネル１５，１５Ｂの軸組材１６，１６を受けるブラケットと、補強材３７（および後述する他の補強材）が取り付けられる取付プレートが設けられている。
【００３４】
第三屋根束３３は、第一屋根束３１に隣り合って、かつ屋根面３ｂの下方に配置されている。当該第三屋根束３３は、一つの屋根面３ｂを構成する屋根パネル１５の軸組材１６を受けるためのものである。
なお、当該第三屋根束３３には、図示はしないが、屋根パネル１５の軸組材１６を受けるブラケットと、補強材３８が取り付けられる取付プレートが設けられている。
【００３５】
屋根束３４，３４，３４は、第一から第三の屋根束３１〜３３とは異なる位置に設けられる他の屋根束である。これら屋根束３４のうち、隅棟３ａの下方に位置するものは二つの屋根面３ｂ，３ｃを構成する屋根パネル１５，１５の軸組材１６，１６を受け、隅棟３ａの下方に位置しないものは一つの屋根面３ｂを構成する屋根パネル１５の軸組材１６を受ける。屋根束３４の構成は、その設置位置に応じて、上述の第一屋根束３１および第二屋根束３２、第三屋根束３３の各構成と略同様になっている。
【００３６】
受けブラケット３５は、建物本体２の出隅角部および張出小屋パネル２０の出隅角部であって、かつ隅棟３ａの下方に設けられており、二つの屋根面３ｂ  ，３ｃを構成する屋根パネル１５，１５Ａ，１５Ｂの各軸組材１６を受けるものである。
受けブラケット３６は、建物本体２の周縁部における出隅角部以外の箇所に設けられており、一つの屋根面３ｂ，３ｃを構成する屋根パネル１５，１５Ａ，１５Ｂの各軸組材１６を受けるものである。
【００３７】
このように、張出小屋パネル２０および小屋パネル２５の上面には、勾配屋根３を支持する複数の屋根束３１〜３４および複数の受けブラケット３５，３６が設けられている。そのため、複数の屋根束３１〜３４および複数の受けブラケット３５，３６にかかる局所的な勾配屋根３の荷重を、建物ユニット１０に効果的に分散させることができる。
また、張出小屋パネル２０はバルコニー４の上方に位置しているため、天井材等の天井構成部材を適宜取り付けることによって、バルコニー天井（図示せず）を形成することができる。
【００３８】
なお、本実施の形態においては張出小屋パネル２０を、建物本体２に設置された小屋パネル２５に接合するものとしたが、これに限られるものではなく、建物本体２を構成する建物ユニット１０の天井梁１３に接合してもよい。その場合、複数の屋根束３１〜３４および複数の受けブラケット３５，３６は、張出小屋パネル２０および建物ユニット１０の天井梁１３の上面に設けられるものとする。
【００３９】
続いて、バルコニー４は、図２，図３に示すように、キャンチ式のバルコニーであり、建物本体２の入隅コーナー部Ｃに位置するように設けられるとともに、勾配屋根３の隅棟３ａの下方に位置している。すなわち、当該バルコニー４は、建物本体２の入隅コーナー部Ｃであって、かつ勾配屋根３の隅棟３ａの下方に位置する軒下コーナー空間である。
また、当該バルコニー４は、建物本体２を構成する建物ユニット１０のうち建物本体２の最上階（二階）であって、かつ入隅コーナー部Ｃに面する二つの建物ユニット１０，１０に隣接している。
【００４０】
バルコニー４は、隣接する建物ユニット１０の平面積と略等しい床面積に設定された床４０と、床４０の周縁部に沿ってＬ字状に配置される手摺壁４４とを備える。
バルコニー４の床４０の上方が、いわゆるバルコニー空間とされており、床４０の下方はバルコニー下方空間とされており、地面との間に支柱は設けられていないものとする。
なお、本実施の形態のバルコニー４はキャンチ式のものとしたが、これに限られるものではなく、一階に建物ユニット１０が配置され、当該建物ユニット１０の上端部にバルコニーを設ける下屋バルコニー、ルーフバルコニー等を採用してもよい。また、キャンチ式バルコニーであっても、本実施の形態のように床面積の広くないものを採用してもよい。
【００４１】
バルコニーの床４０は、建物本体２の二階の床（床梁１４）の高さと略等しい。当該床４０は、複数本の梁４１ａ，４１ｂ，４２ａ，４２ｂ，４３によって矩形枠状に形成された骨組みと、当該骨組みの上面に設けられる床面材とによって概略構成されている。
また、手摺壁４４は、その外側面が、建物本体２の外側面と面一になるように設定されている。
なお、バルコニー４の床４０も、張出小屋パネル２０と同様に、建物本体２に対して剛接合されている。より詳細には、図４に示すように、床４０の骨組みを構成する梁４１ｂ，４２ａと、建物本体２側の建物ユニット１０，１０の床梁１４，１４が接合金物２９によって接合されている。当該接合金物２９が設けられる箇所（図４中の「▼」）は、図４に示すように、床４０の梁４１ａの位置と、梁４２ａ，４２ｂ，４３の位置に対応している。
【００４２】
なお、本実施の形態における軒下コーナー空間はバルコニー４であるとしたが、これに限られるものではなく、適宜変更可能である。
すなわち、当該軒下コーナー空間は、上述のように建物本体２の入隅コーナー部Ｃであって、かつ勾配屋根３の隅棟３ａの下方に位置していればよく、バルコニー４以外にも、例えばカーポートや平屋建物のテラス部分等、様々なものが挙げられる。より詳細に説明すれば、本実施の形態のユニット式建物１は二階建ての住宅としたが、平屋造りの住宅でもよいし、三階建て以上の住宅でもよい。さらには住宅に限られずその他の用途のユニット式建物であってもよい。ただし、階層および用途を限定しないどのようなユニット式建物であっても、勾配屋根３および入隅コーナー部Ｃを備えているものとする。そして、軒下コーナー空間４は、階層および用途を限定しないどのようなユニット式建物であっても、入隅コーナー部Ｃであって、かつ勾配屋根３の隅棟３ａの下方に位置しているものとする。したがって、軒下コーナー空間４としては、複数層であって用途を限定しないユニット式建物のバルコニーの空間（例えば本実施の形態のバルコニー４）や、階層および用途を限定しないユニット式建物のテラスやデッキ（広義には、隅棟３ａ下方に位置する地面も含む）等が挙げられる。さらには、バルコニー（例えば本実施の形態のバルコニー４）の上方空間も下方空間も軒下コーナー空間４であると言える。
【００４３】
続いて、第一から第三のトラス構造部Ｔ１，Ｔ２，Ｔ３について説明する。
第一から第三のトラス構造部Ｔ１，Ｔ２，Ｔ３は、図１〜図３に示すように、第一屋根束３１を垂直辺とする直角三角形状のトラス構造体である。すなわち、第一から第三のトラス構造部Ｔ１，Ｔ２，Ｔ３は、一つの第一屋根束３１を含んで構成され、当該第一屋根束３１を基点として三方向に分岐するようにして配置されている。
【００４４】
第一トラス構造部Ｔ１は、平面視において隅棟３ａに沿って配置されている。すなわち、隅棟３ａの延在方向に沿って配置されている。
当該第一トラス構造部Ｔ１の下辺は、張出小屋パネル２０において斜めに配置された斜め梁である斜材２４によって構成されている。
また、当該第一トラス構造部Ｔ１の斜辺は、第一屋根束３１によって支持され、かつ隅棟３ａを介して隣接する屋根パネル１５Ａ，１５Ｂにおける隅棟３ａに沿う軸組材１６，１６によって構成されている。
すなわち、第一トラス構造部Ｔ１は、垂直辺が第一屋根束３１、下辺が斜材２４、斜辺が隅棟３ａに沿う軸組材１６，１６によって構成されている。
【００４５】
第二トラス構造部Ｔ２は、平面視において隣り合う二つの屋根面３ｂ，３ｃのうち一方の屋根面３ｂの流れ方向に沿って配置されている。
また、当該第二トラス構造部Ｔ２の下辺は、張出小屋パネル２０を構成する複数本の梁２１ａ，２１ｂ，２２ａ，２２ｂ，２３のうち、中間梁２３によって構成されている。
さらに、当該第二トラス構造部Ｔ２の斜辺は、一方の屋根面３ｂを構成する屋根パネル１５Ａの軸組材１６のうち、隅棟３ａに沿う軸組材１６に隣り合う傾斜する軸組材１６によって構成されている。
すなわち、第二トラス構造部Ｔ２は、垂直辺が第一屋根束３１、下辺が中間梁２３、斜辺が屋根パネル１５Ａにおける屋根面３ｂ側の軸組材１６によって構成されている。
【００４６】
第三トラス構造部Ｔ３は、平面視において隣り合う二つの屋根面３ｂ，３ｃのうち他方の屋根面３ｃの流れ方向に沿って配置されている。
また、当該第三トラス構造部Ｔ３の下辺は、張出小屋パネル２０を構成する複数本の梁２１ａ，２１ｂ，２２ａ，２２ｂ，２３のうち、長辺梁２１ｂによって構成されている。
さらに、当該第三トラス構造部Ｔ３の斜辺は、他方の屋根面３ｃを構成する屋根パネル１５Ｂの軸組材１６のうち、隅棟３ａに沿う軸組材１６に隣り合う傾斜する軸組材１６によって構成されている。
すなわち、第三トラス構造部Ｔ３は、垂直辺が第一屋根束３１、下辺が長辺梁２１ｂ、斜辺が屋根パネル１５Ｂにおける屋根面３ｃ側の軸組材１６によって構成されている。
【００４７】
そして、第一屋根束３１と、複数の屋根束３１〜３４のうち第一屋根束３１と隣り合うとともに平面視において第二トラス構造部Ｔ２の延長線上に配置される前記第二屋根束３２との間には補強材３７が架設されている。
さらに、第一屋根束３１と、複数の屋根束３１〜３４のうち第一屋根束３１と隣り合うとともに平面視において第三トラス構造部Ｔ３の延長線上に配置される前記第三屋根束３３との間には補強材３８が架設されている。
【００４８】
本実施の形態における補強材３７，３８としては、いわゆるターンバックルブレース（筋交い）が採用されている。
また、ターンバックルブレースである補強材３７は複数であり、第一屋根束３１の上端部と第二屋根束３２の下端部との間と、第一屋根束３１の下端部と第二屋根束３２の上端部との間に架設されている。そして、当該複数の補強材３７，３７は、第一屋根束３１と第二屋根束３２との中間地点付近で互いに交差した状態となっている。
また、ターンバックルブレースである補強材３８も同様に複数であり、第一屋根束３１の上端部と第三屋根束３３の下端部との間と、第一屋根束３１の下端部と第三屋根束３３の上端部との間に架設されている。そして、当該複数の補強材３８，３８は、第一屋根束３１と第三屋根束３３との中間地点付近で互いに交差した状態となっている。
【００４９】
より詳細に説明すると、補強材３７，３８における第一屋根束３１側の端部は、当該第一屋根束３１の上下端部に設けられた取付プレート３１ｃ，３１ｄのそれぞれに取り付けられている。また、上述したように第二屋根束３２および第三屋根束３３のそれぞれの上端部および下端部にも取付プレートが設けられており、補強材３７，３８の他方の端部が取り付けられているものとする。
以上のような補強材３７，３８は、第二屋根束３２と第一屋根束３１、第三屋根束３３と第一屋根束３１を繋いで、第一屋根束３１を基点として構成された第一から第三のトラス構造部Ｔ１，Ｔ２，Ｔ３を吊り上げる（引っ張り上げる）機能を有する。
【００５０】
なお、図示はしないが、複数の屋根束３２〜３４のうち、妻方向および桁方向に隣り合う屋根束（屋根束３２，３４、屋根束３３，３４、屋根束３４，３４）同士の間にも、他の補強材として適宜ターンバックルブレースが設けられているものとする。
また、補強材３７，３８としてターンバックルブレースを採用したが、これに限られるものではなく、その他の金属製の棒状部材を採用してもよい。
【００５１】
また、図２に示すように、以上のように補強された第一から第三のトラス構造部Ｔ１，Ｔ２，Ｔ３を構成する張出小屋パネル２０の出隅角部と、バルコニー４の床４０の出隅角部とが吊柱４５によって連結されている。
すなわち、バルコニー４の床４０は、吊柱４５および第一から第三のトラス構造部Ｔ１，Ｔ２，Ｔ３を介して、補強材３７，３８によって吊り上げられた（引き上げられた）状態となっている。
【００５２】
また、本実施の形態の張出小屋パネル２０には、図２に示すように、第一から第三のトラス構造部Ｔ１，Ｔ２，Ｔ３とは別に、長辺梁２１ａ，２１ｂと短辺梁２２ｂと中間梁２３と斜材２４とからなる二つのトラス構造が設けられている。これによって、バルコニー４の上方において庇となる勾配屋根３の部位を補強することができる。
【００５３】
本実施の形態によれば、軒下コーナー空間であるバルコニー４の上方に、第一屋根束３１を垂直辺として含んで構成される直角三角形状の第一から第三のトラス構造部Ｔ１，Ｔ２，Ｔ３が設けられているので、バルコニー４上方において庇となる勾配屋根３の部位を補強することができる。さらに、第一屋根束３１と第二屋根束３２との間に補強材３７が架設され、第一屋根束３１と第三屋根束３３との間にも補強材３８が架設されているので、第一屋根束３１と第二屋根束３２同士、および、第一屋根束３１と第三屋根束３３同士のそれぞれを補強材３７，３８によって繋げて補強でき、第一屋根束３１を含む第一から第三のトラス構造部Ｔ１，Ｔ２，Ｔ３がバルコニー４側に倒れ込むことを防ぐことができる。
これによって、バルコニー４の庇となる勾配屋根３の部位の荷重を十分に支えることができるので、バルコニー４の庇となる勾配屋根３の軒の出を大きくして雨天時にもバルコニー４を使うことができる。さらに、バルコニー４が、キャンチ式ではなく、例えば下屋バルコニー等である場合には、軒の出の大きな勾配屋根３による庇の下方に、バルコニー４の張り出し寸法を大きくして、広々とした床面積のバルコニー空間を形成できる。したがって、快適なバルコニー空間を形成することが可能となる。
【００５４】
また、キャンチ式のバルコニー４の床４０の出隅角部と、第一から第三のトラス構造部Ｔ１，Ｔ２，Ｔ３を構成する梁２１ｂ，２３と斜材２４とを有する張出小屋パネル２０の出隅角部とが吊柱４５によって連結されているので、隣接する建物ユニット１０，１０の平面積と略等しい床面積に設定された広いバルコニー４の床４０であっても、バルコニー４上方の第一から第三のトラス構造部Ｔ１，Ｔ２，Ｔ３および補強材３７，３８によって、バルコニー４の床４０を吊った状態で支えて十分に保持することができる。これによって、バルコニー４の建物本体２からの張り出し寸法を大きくすることができるので、広々とした快適なバルコニー空間を形成することができる。
さらに、バルコニー４の床４０を、バルコニー４上方の第一から第三のトラス構造部Ｔ１，Ｔ２，Ｔ３および補強材３７，３８によって吊った状態で支えて十分に保持できるので、従来のようにバルコニーと地面との間に支柱を設置せずに済み、バルコニー４の下方空間において開放感や景観性が阻害されなくなる。
【００５５】
また、複数の屋根束３１〜３４は小屋パネル２５の上面に設置されているので、当該小屋パネル２５によって勾配屋根３を確実に支持することができる。そして、張出小屋パネル２０を構成する複数本の梁２１ａ，２１ｂ，２２ａ，２２ｂ，２３のうち建物本体２側に配置される梁２１ｂ，２２ａと、建物本体２側において屋根を支持する小屋パネル２５とが剛接合されているので、勾配屋根３のうちの、バルコニー４の上方に位置する部位と、それ以外の部位との一体性を高めることができる。
【００５６】
また、第一から第三のトラス構造部Ｔ１，Ｔ２，Ｔ３のそれぞれの斜辺は、複数の屋根パネル１５，１５Ａ，１５Ｂのうち隅棟３ａに沿って配置される屋根パネル１５Ａ，１５Ｂの軸組材１６，１６によって構成されているので、勾配屋根３の施工を行うことで同時に第一から第三のトラス構造部Ｔ１，Ｔ２，Ｔ３を形成できることになり、施工性を向上させることができる。
特に、第一屋根束３１の上端部には、二つの屋根パネル１５Ａ，１５Ｂのそれぞれの軸組材１６，１６を受ける二つのブラケット３１ａ，３１ｂが設けられているので、一つの第一屋根束３１によって二つの屋根パネル１５Ａ，１５Ｂの軸組材１６，１６を受けることができる。これによって、第一から第三のトラス構造部Ｔ１，Ｔ２，Ｔ３は、一つの第一屋根束３１を垂直辺として含んだ形で構成されることになるので、当該第一から第三のトラス構造部Ｔ１，Ｔ２，Ｔ３同士の一体性を高めることができる。また、第一屋根束３１を複数用意する必要がないので、第一から第三のトラス構造部Ｔ１，Ｔ２，Ｔ３を形成する際の施工手間を省略できる。
【００５７】
そして、以上のように本実施の形態のユニット式建物１によれば、バルコニー４の張り出し寸法を大きくしたり、庇となる勾配屋根３の軒の出を大きくしたりして、快適なバルコニー空間を形成することが可能となるので、バルコニー４を半屋外的な生活空間として利用したいという要望を叶えることができる。すなわち、バルコニー空間を、広々とさせたり、雨に濡れにくい空間としたりすることができるので、バルコニー空間を居室等の延長として利用することができる。
【符号の説明】
【００５８】
１  ユニット式建物
２  建物本体
３  勾配屋根
３ａ  隅棟
３ｂ  屋根面
３ｃ  屋根面
４  軒下コーナー空間（バルコニー）
１０  建物ユニット
１５Ａ  屋根パネル
１５Ｂ  屋根パネル
１６  軸組材
２０  張出小屋パネル
２１ａ，２１ｂ  長辺梁
２２ａ，２２ｂ  短辺梁
２３  中間梁
２４  斜材（斜め梁）
２５  小屋パネル
３１  第一屋根束
３１ａ，３１ｂ  ブラケット
３２  第二屋根束
３３  第三屋根束
３７  補強材
３８  補強材
４０  バルコニーの床
４５  吊柱
Ｃ  入隅コーナー部
Ｔ１  第一トラス構造部
Ｔ２  第二トラス構造部
Ｔ３  第三トラス構造部
【図１】
2015155596.tif 000003
【図２】
2015155596.tif 000004
【図３】
2015155596.tif 000005
【図４】
2015155596.tif 000006
【図５】
2015155596.tif 000007
【図６】
2015155596.tif 000008
【図７】
2015155596.tif 000009